(57)【要約】【課題】  製造において作業者の負担が少なく、製造時間を軽減することができるふとん籠およびその製造方法を提供する。【解決手段】  ふとん籠は、第一の底面および第一の底面から立ち上がる第一の側周面とを有し、各面が金網からなり、上面が開口しているかご本体と、かご本体内において第一の底面上に設けられる第二の底面と、かご本体内において第二の底面から立ち上がる第二の側周面と、第二の側周面に設けられ、水平方向に突出する突出部と、を有する内側周部と、内側周部の内側に充填される充填物と、を備えている。突出部は、かご本体の網目より大きいものであり、充填物は、突出部より小さいものである。【選択図】      図１
2019120041.tif 000002
【特許請求の範囲】
【請求項１】
第一の底面および第一の底面から立ち上がる第一の側周面とを有し、各面が金網からなり、上面が開口しているかご本体と、
かご本体内において第一の底面上に設けられる第二の底面と、
かご本体内において第二の底面から立ち上がる第二の側周面と、第二の側周面に設けられ、水平方向に突出する突出部と、を有する内側周部と、
内側周部の内側に充填される充填物と、を備え、
突出部は、かご本体の網目より大きいものであり、
充填物は、突出部より小さいものであることを特徴とするふとん籠。
【請求項２】
第二の底面および第二の側周面は網状のものからなり、第二の底面および第二の側周面の網目はかご本体の網目より小さく、
充填物は第二の底面および第二の側周面の網目より大きいものであることを特徴とする請求項１記載のふとん籠。
【請求項３】
第一の底面および第一の底面から立ち上がる第一の側周面とを有し、各面が金網からなり、上面が開口しているかご本体の内部に、第二の底面および内側周部を設置する工程と、
内側周部の内側に充填物を充填する工程と、を備え、
第二の底面は、かご本体内において第一の底面上に設置され、
内側周部は、第二の側周面と、第二の側周面に設けられ、水平方向に突出する突出部と、を有し、第二の側周面が、かご本体内において第二の底面から立ち上がるように設置され、
突出部は、かご本体の網目より大きいものであり、
充填物は、突出部より小さいものであることを特徴とするふとん籠の製造方法。
【発明の詳細な説明】
【技術分野】
【０００１】
本発明は、ふとん籠およびその製造方法に関する。
【背景技術】
【０００２】
河川や海岸等における根固めや護岸として、または法面を保護する構造物として、ふとん籠が用いられている（例えば、特許文献１参照）。
従来のふとん籠は、設置される現場において、作業者が、金網製のかご本体の内部にかご本体の網目より大きい詰石を一つ一つきれいに敷き詰めることにより製造される。
しかしながら、ふとん籠の製造は、個々の詰石が重いものであり、また大量の詰石をかご本体内に敷き詰める必要があるため、作業者の負担が非常に大きく、時間もかかるという問題があった。
【先行技術文献】
【特許文献】
【０００３】
【特許文献１】特開２０１６−０２０５８１号公報
【発明の概要】
【発明が解決しようとする課題】
【０００４】
本発明は、製造において作業者の負担が少なく、製造時間を軽減することができるふとん籠およびその製造方法を提供することを目的とする。
【課題を解決するための手段】
【０００５】
ふとん籠は、第一の底面および第一の底面から立ち上がる第一の側周面とを有し、各面が金網からなり、上面が開口しているかご本体と、かご本体内において第一の底面上に設けられる第二の底面と、かご本体内において第二の底面から立ち上がる第二の側周面と、第二の側周面に設けられ、水平方向に突出する突出部と、を有する内側周部と、内側周部の内側に充填される充填物と、を備えている。突出部は、かご本体の網目より大きいものであり、充填物は、突出部より小さいものである。
【０００６】
ふとん籠は、第二の底面および第二の側周面が網状のものからなり、第二の底面および第二の側周面の網目がかご本体の網目より小さく、充填物が第二の底面および第二の側周面の網目より大きいものとすることができる。
【０００７】
ふとん籠の製造方法は、第一の底面および第一の底面から立ち上がる第一の側周面とを有し、各面が金網からなり、上面が開口しているかご本体の内部に第二の底面および内側周部を設置する工程と、内側周部の内側に充填物を充填する工程と、を備えている。第二の底面は、かご本体内において第一の底面上に設置される。内側周部は、第二の側周面と、第二の側周面に設けられ、水平方向に突出する突出部と、を有し、第二の側周面が、かご本体内において第二の底面から立ち上がるように設置される。突出部は、かご本体の網目より大きいものであり、充填物は、突出部より小さいものである。
【発明の効果】
【０００８】
上記ふとん籠およびその製造方法によれば、充填物を突出部より小さいものとすることより、充填物が従来のふとん籠に用いられる詰石より小さく軽いものとなり、しかも重機やスコップなどの道具を用いて内側周部の内側に充填することができ、作業者がかご本体内に充填物を個々にきれいに敷き詰める必要がないので、従来のふとん籠に比べ、製造における作業者の労力や製造時間を大幅に軽減することができる。また、上記ふとん籠およびその製造方法によれば、上記のように製造時間を軽減することができるので、従来のふとん籠に比べ、人件費等が抑えられ、その製造コストを大幅に低減することができる。また、ふとん籠は、内側周部にかご本体の網目より大きい突出部を備え、内側周部の内側に充填物を充填するので、根固め、護岸および法面保護などにおいて従来のふとん籠と同様の機能を発揮する。
【図面の簡単な説明】
【０００９】
【図１】実施形態のふとん籠を示す斜視図である。
【図２】ふとん籠の横方向の端面を示す端面図である。
【図３】ふとん籠の製造工程を示す分解斜視図である。
【図４】内側周部を示す正面図である。
【図５】内側周部を示す平面図である。
【発明を実施するための形態】
【００１０】
以下、ふとん籠およびその製造方法の実施形態について説明する。図１〜図３に示すように、ふとん籠は、かご本体１０と、第二の底面２０と、内側周部３０と、充填物４０とを備えている。
【００１１】
かご本体１０は、図１〜図３に示すように、第一の底面１２および第一の底面１２から立ち上がる第一の側周面１４とを有し、各面が金網からなり、上面が開口している。
【００１２】
本実施形態では、かご本体１０は箱状のものとなっている。第一の底面１２は、上下方向から見て矩形となっている。第一の側周面１４は、正面、背面、右側面および左側面からなり、各面は水平方向から見て矩形となっている。第一の底面１２および第一の側周面１４は、ステンレス製や鉄製の金網により構成されている。かご本体１０の網目の大きさは、例えば５ｃｍ〜２５ｃｍの範囲内とすることができる。かご本体１０の上面は開口している。なお、かご本体１０は、かご本体１０の上面の開口を閉じる上面を備えるものであってもよい。
【００１３】
第二の底面２０は、図２および図３に示すように、かご本体１０内において第一の底面１２上に設けられる。第二の底面２０としては、例えばシート状のシート部材や板状の板状部材などを用いることができる。シート部材や板状部材は、網状のものであってもよいし、網状でないものであってもよい。第二の底面２０を網状のものとする場合、その網目の大きさはかご本体１０の網目より小さいものとなる。この場合、第二の底面２０の網目の大きさは、例えば０．５ｃｍ〜４．５ｃｍの範囲内の大きさとすることができる。第二の底面２０の素材としては、例えば、天然繊維、合成繊維、金属、合成樹脂などを用いることができる。第二の底面２０は、第一の底面１２と、ロープ、針金および結束具や溶接などの連結手段により連結してもよいし、連結しなくてもよい。
【００１４】
本実施形態では、第二の底面２０は、上下方向から見て矩形であり、かご本体１０の網目より網目が小さい金網からなるシート部材で構成されている。第二の底面２０を構成する金網は、ステンレス製や鉄製の金属線を網状に形成したものである。
【００１５】
内側周部３０は、図１〜図５に示すように、第二の側周面３２と、突出部３４とを備えている。第二の側周面３２は、かご本体１０内において第二の底面２０から立ち上がって側周面を形成している。第二の側周面３２は、上面が開口し、底面の開口は第二の底面２０により塞がれる。第二の側周面３２としては、例えばシート状のシート部材や板状の板状部材などを用いることができる。シート部材や板状部材は、網状のものであってもよいし、網状でないものであってもよい。第二の側周面３２を網状のものとする場合、その網目の大きさはかご本体１０の網目より小さいものとなる。この場合、第二の側周面３２の網目の大きさは、例えば０．５ｃｍ〜４．５ｃｍの範囲内の大きさとすることができる。第二の側周面３２の素材としては、例えば、天然繊維、合成繊維、金属、合成樹脂などが挙げられる。第二の側周面３２（内側周部３０）は、第二の底面２０と、ロープ、針金および結束具や溶接などの連結手段により連結してもよいし、連結しなくてもよい。
【００１６】
本実施形態では、第二の側周面３２は、図１〜図３に示すように、第二の底面２０の側縁からそれぞれ立ち上がり、水平方向から見て矩形である正面、背面、右側面および左側面からなり、これらの各面がかご本体１０の第一の側周面１４の各面と隙間を保って略平行となるように配されている。そして、そのような第二の側周面３２は、図４および図５に示すように、曲げることが可能であって、かご本体１０の網目より網目が小さい金網からなる一つの帯状のシート部材を、３か所で略直角に折り曲げることにより形成されている。第二の側周面３２を構成する金網は、ステンレス製や鉄製の金属線を網状に形成したものであり、第二の底面２０と同じ金網が用いられている。帯状のシート部材の長手方向の両端は、ロープ、針金および結束具や溶接などの連結手段により連結してもよいし、連結しなくてもよい。第二の側周面３２の上辺の高さは、かご本体１０の第一の側周面１４の上辺の高さと同等かそれより低くなる。
【００１７】
突出部３４は、図１〜図５に示すように、第二の側周面３２に設けられ、水平方向に突出するものである。突出部３４には、固まりも含まれる。突出部３４は、第二の側周面３２に対し、内外の両方に突出するものであってもよいし、内外の一方に突出するものであってもよい。突出部３４の素材としては、例えば、コンクリート、石、金属または合成樹脂等が挙げられる。突出部３４は、従来のふとん籠に詰められる詰石と同様に、かご本体１０の網目より大きく、かご本体１０の網目を通らないものとなっている。突出部３４が固まりである場合、突出部３４の粒径は、例えば１０ｃｍ〜３０ｃｍの範囲内とすることができる。
【００１８】
本実施形態では、突出部３４として、第二の側周面３２の両面から水平方向に突出する岩を模したコンクリート製の擬岩が複数用いられている。擬岩は、例えば、擬岩を形成するための一対の型材の間に第二の側周面３２を挟み込んで型材にコンクリートを流し込むことにより第二の側周面３２に取り付けることができる。第二の側周面３２の両面から水平方向に突出する擬岩を一つの擬岩とみなすと、その粒径は上記のように１０ｃｍ〜３０ｃｍの範囲内とすることができる。
【００１９】
第二の側周面３２への突出部３４の取り付けは、上記以外にも、例えば突出部３４に設けた孔に紐や針金等を通して第二の側周面３２に括り付けたり、突出部３４を第二の側周面３２に接着剤で接着してもよく、第二の側周面３２に突出部３４を取り付けられるものであればどのようなものであってもよい。
【００２０】
第二の側周面３２の外側に突出部３４が突出する場合、内側周部３０は、突出部３４がかご本体１０内でその第一の側周面１４に接していることが好ましい。また、この場合において、突出部３４が複数存在する場合には、できる限り多くの突出部３４がかご本体１０の第一の側周面１４に接するように、各突出部３４の第二の側周面３２からの突出長または粒径が同程度であることが好ましい。第二の側周面３２の外側に突出部３４が突出していない場合には、かご本体１０内において第二の側周面３２をかご本体１０の第一の側周面１４に接するようにすることが好ましい。上記のように内側周部３０をかご本体１０に配置することにより、かご本体１０内に余計な隙間が形成されなくなるので、根固め、護岸および法面保護構造物としての機能がより向上する。
【００２１】
充填物４０は、内側周部３０の内側に充填される固まりまたはそれに類似するものであり、その大きさ（体積または粒径など）が突出部３４より小さいものとなっている。充填物４０は、突出部３４より小さいので、従来のふとん籠に充填される詰石より小さく軽いものとなる。第二の底面２０および第二の側周面３２が網状のものである場合、充填物４０の大きさは第二の底面２０および第二の側周面３２の網目より大きく、これらの網目を通過しないものとなっている。充填物４０の大きさをそのようにすることにより、充填物４０が第二の底面２０および第二の側周面３２の網目から外側に流出することを防ぐことができる。
【００２２】
本実施形態では、充填物４０として、図１〜図３に示すように、第二の側周面３２および第二の底面２０の網目より小さい砕石が用いられている。砕石は、充填のし易さや作業者の労力軽減の観点からは、粒径が１ｃｍ〜５ｃｍの範囲内の大きさのものが好ましい。充填物４０は、コンクリート塊や金属隗など砕石以外のものであってもよい。
【００２３】
次にふとん籠の製造方法について説明する。ふとん籠の製造方法は、図３に示すように、上記かご本体１０の内部に、第二の底面２０および内側周部３０を設置する工程と、内側周部３０の内側に充填物４０を充填する工程と、を備えている。
【００２４】
具体的には、まずかご本体１０内の第一の底面１２上に第二の底面２０を設置する。次いで内側周部３０を、かご本体１０内において第二の底面２０上に設置する。内側周部３０の第二の側周面３２が、曲げることが可能であって、一つの帯状のシート部材である場合には、内側周部３０をかご本体１０内に設置する前に、あらかじめシート部材を略直角に３か所で折り曲げることにより、正面、背面、右側面および左側面を形成しておく。
また、突出部３４が第二の側周面３２の外側に突出するものである場合、内側周部３０は、突出部３４がかご本体１０内の第一の側周面１４に接した状態で、かつ第二の側周面３２の正面、背面、右側面および左側面がかご本体１０の第一の側周面１４の各面と略平行となるように設置される。
第二の底面２０および内側周部３０の設置は、作業者が行ってもよいし、重機で行ってもよい。第二の底面２０および内側周部３０は、あらかじめ第二の底面２０と内側周部３０を連結して一体化し、その一体化したものをかご本体１０内に設置してもよい。
【００２５】
充填物４０は、重機によりまたは作業者がスコップなどの充填用具を用いて内側周部３０の上側の開口から内側周部３０の内側に充填される。
【００２６】
上記ふとん籠およびその製造方法によれば、充填物４０を突出部３４より小さいものとすることより、充填物４０が従来のふとん籠に用いられる詰石より小さく軽いものとなり、重機やスコップなどの道具を用いて内側周部３０の内側に充填することができ、作業者がかご本体１０内に充填物４０を個々にきれいに敷き詰める必要がないので、従来のふとん籠に比べ、製造における作業者の労力や製造時間を大幅に軽減することができる。また、上記ふとん籠およびその製造方法によれば、上記のように製造時間を軽減することができるので、従来のふとん籠に比べ、人件費等が抑えられ、その製造コストを大幅に低減することができる。また、上記ふとん籠は、内側周部３０にかご本体１０の網目より大きい突出部３４を備え、内側周部３０の内側に充填物４０を充填するので、根固め、護岸および法面保護などにおいて従来のふとん籠と同様の機能を発揮する。
【００２７】
ふとん籠は、突出部３４を擬岩とすれば、その外観が、従来のふとん籠に類似することとなり、自然と調和しやすいものとなる。突出部３４を、コンクリートなどの従来の詰石より軽いものとすれば、内側周部３０が軽くなるので、作業者がかご本体１０内に内側周部３０を設置する際、その労力がより軽減される。
【００２８】
ふとん籠は、第二の側周面３２および第二の底面２０を網目状のシート部材とすれば、ふとん籠内の透水性が向上するため、河川や海岸に設置した際、水の流れや波浪をより一層低減することができ、また法面に設置した場合には土圧をより一層低減することができる。また、この場合、ふとん籠は、水をより浄化することができ、生物の生息にもより適したものとなる。
【００２９】
ふとん籠およびその製造方法は、上記実施形態に特に限定されるものではなく、本発明の要旨の範囲内において適宜変更することができる。
【符号の説明】
【００３０】
１０    かご本体
１２    第一の底面
１４    第一の側周面
２０    第二の底面
３０    内側周部
３２    第二の側周面
３４    突出部
４０    充填物
【図１】
2019120041.tif 000003
【図２】
2019120041.tif 000004
【図３】
2019120041.tif 000005
【図４】
2019120041.tif 000006
【図５】
2019120041.tif 000007
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
第一の底面および第一の底面から立ち上がる第一の側周面とを有し、前記第一の底面および前記第一の側周面が金網からなり、上面が開口しているかご本体と、
かご本体内において第一の底面上に設けられる第二の底面と、
かご本体内において第二の底面から立ち上がる第二の側周面と、第二の側周面に設けられ、水平方向に突出する突出部と、を有する内側周部と、
内側周部の内側に充填される充填物と、を備え、
突出部は、かご本体の網目より大きいものであり、
充填物は、突出部より小さいものであることを特徴とするふとん籠。
【請求項２】
第二の底面および第二の側周面は網状のものからなり、第二の底面および第二の側周面の網目はかご本体の網目より小さく、
充填物は第二の底面および第二の側周面の網目より大きいものであることを特徴とする請求項１記載のふとん籠。
【請求項３】
第一の底面および第一の底面から立ち上がる第一の側周面とを有し、前記第一の底面および前記第一の側周面が金網からなり、上面が開口しているかご本体の内部に、第二の底面および内側周部を設置する工程と、
内側周部の内側に充填物を充填する工程と、を備え、
第二の底面は、かご本体内において第一の底面上に設置され、
内側周部は、第二の側周面と、第二の側周面に設けられ、水平方向に突出する突出部と、を有し、第二の側周面が、かご本体内において第二の底面から立ち上がるように設置され、
突出部は、かご本体の網目より大きいものであり、
充填物は、突出部より小さいものであることを特徴とするふとん籠の製造方法。